(57)【要約】      （修正有）【課題】多くの人の嗜好性に訴え、同時に記念品としての付加価値や玩具としての親しみ易さを追求する金属製打音発生装置を提供する。【解決手段】金属製打音発生装置は、所定のモチーフを表現する形状に加工された帯状金属片１２と、帯状金属片１２を吊り下げるための吊り下げ部として機能する通穴１４とが形成され、帯状金属片１２が打たれた際に金属音を発生させることを特徴とする。例えば、帯状金属片１２は、動物、人、乗り物、食べ物、楽器、記号、道具、建築物、多面体、文字列、標章の中から選択される所定のモチーフを、連続する外郭形状で表現するように加工される。【選択図】図１
0003214384.tif 000002
【実用新案登録請求の範囲】
【請求項１】
所定のモチーフを表現する形状に加工された帯状金属片と、該帯状金属片を吊り下げるための吊り下げ部とが形成され、前記帯状金属片が打たれた際に金属音を発生させることを特徴とする金属製打音発生装置。
【請求項２】
請求項１記載の金属製打音発生装置であって、前記帯状金属片は、金属棒を所定のモチーフを表現する形状に折り曲げて加工したもの、或いは金属板をレーザー加工若しくはプレス加工により切り抜いて所定のモチーフを表現する形状に加工したものであることを特徴とする金属製打音発生装置。
【請求項３】
請求項１記載の金属製打音発生装置であって、前記帯状金属片は、動物、人、乗り物、食べ物、楽器、記号、道具、建築物、多面体、文字列、標章の中から選択される所定のモチーフを、連続する外郭形状で表現するように加工されることを特徴とする金属製打音発生装置。
【請求項４】
請求項３の金属製打音発生装置であって、連続する前記外郭形状は平面的若しくは立体的であることを特徴とする金属製打音発生装置。
【請求項５】
請求項１記載の金属製打音発生装置であって、前記帯状金属片の一部には、金属音を発生させるための打音発生片が取り付けられることを特徴とする金属製打音発生装置。
【請求項６】
請求項１記載の金属製打音発生装置であって、複数の前記帯状金属片のそれぞれの前記吊り下げ部に亘って配される棹部をさらに有することを特徴とする金属製打音発生装置。
【考案の詳細な説明】
【技術分野】
【０００１】
本考案は、所定の金属音を発生させる金属製打音発生装置に関する。
【背景技術】
【０００２】
従来より、打楽器の1種類としてトライアングルが知られており、概ね鋼鉄若しくはブロンズなどの金属素材を加工して構成される。典型的には、その形状は３角形であり、１つの角に端部同士が向きあうように配置され、他の２つに角は角丸を描くように６０度前後の内角となるように折り曲げて加工されているものが多い。ビーターとよばれる打つために道具で叩くことで音を出すことができ、トライアングルはその形状からの叩いた際の音の共鳴から響くような効果が得られる。
【０００３】
また、叩いて音を出すものとして、音叉が知られており、これは全体的にU字形をしており、底部に柄が付いた形状をしており、U字形をした部分の金属の棒を叩くことで、所定の周波数の共鳴音を発生させるように構成されている。
【考案の概要】
【考案が解決しようとする課題】
【０００４】
しかしながら、従来からのトライアングルは打楽器としての音質を向上させる発想はあるものの、音質ではなく使用するもの嗜好性に訴え、音を出すことは一定のレベルで確保しつつ、同時に記念品としての付加価値や玩具としての親しみ易さを追求したものではなく、音楽の幅を広げるのに適しているとは言い切れないところがある。
【０００５】
そこで、本考案は、多くの人の嗜好性に訴え、同時に記念品としての付加価値や玩具としての親しみ易さを追求する新しい金属製打音発生装置の提供を目的とする。
【課題を解決するための手段】
【０００６】
上述の課題を解決するため、本考案の金属製打音発生装置は、所定のモチーフを表現する形状に加工された帯状金属片と、該帯状金属片を吊り下げるための吊り下げ部とが形成され、前記帯状金属片が打たれた際に金属音を発生させることを特徴とする。
【０００７】
また、本考案の金属製打音発生装置の好適な一例としては、上述の構成の金属製打音発生装置であって、前記帯状金属片は、金属棒を所定のモチーフを表現する形状に折り曲げて加工したもの、或いは金属板をレーザー加工若しくはプレス加工により切り抜いて所定のモチーフを表現する形状に加工したものとすることができる。前記帯状金属片は、動物、人、乗り物、食べ物、楽器、記号、道具、建築物、多面体、文字列、標章の中から選択される所定のモチーフを、連続する外郭形状で表現するように加工されるように構成できる。連続する前記外郭形状は平面的若しくは立体的にできる。
【０００８】
また、前記帯状金属片の一部には、金属音を発生させるための打音発生片が取り付けられる構造とすることができ、複数の前記帯状金属片のそれぞれの前記吊り下げ部に亘って配される棹部をさらに有する構成としても良い。
【図面の簡単な説明】
【０００９】
【図１】本考案の第１の実施形態の金属製打音発生装置の使用状態を示す斜視図である。
【図２】本考案の第１の実施形態の金属製打音発生装置の構造を示す平面図である。
【図３】本考案の第２の実施形態の金属製打音発生装置の構造を示す平面図である。
【図４】本考案の第３の実施形態の金属製打音発生装置の構造を示す平面図である。
【図５】本考案の第４の実施形態の金属製打音発生装置の構造を示す平面図である。
【図６】本考案の第５の実施形態の金属製打音発生装置の構造を示す平面図である。
【図７】本考案の第６の実施形態の金属製打音発生装置の構造を示す平面図である。
【図８】本考案の第７の実施形態の金属製打音発生装置の構造を示す平面図である。
【図９】本考案の第８の実施形態の金属製打音発生装置の構造を示す平面図である。
【図１０】本考案の第９の実施形態の金属製打音発生装置の構造を示す平面図である。
【図１１】本考案の第１０の実施形態の金属製打音発生装置の構造を示す平面図である。
【図１２】本考案の第１１の実施形態の金属製打音発生装置の構造を示す平面図である。
【図１３】本考案の第１２の実施形態の金属製打音発生装置の構造を示す平面図である。
【図１４】本考案の第１３の実施形態の金属製打音発生装置の構造を示す平面図である。
【図１５】本考案の第１４の実施形態の金属製打音発生装置の構造を示す側面図である。
【図１６】本考案の第１５の実施形態の金属製打音発生装置の構造を示す側面図である。
【図１７】本考案の第１６の実施形態の金属製打音発生装置の構造を示す斜視図である。
【図１８】本考案の第１７の実施形態の金属製打音発生装置の構造を示す斜視図である。
【考案を実施するための形態】
【００１０】
本考案の好適な実施形態について図面を参照しながら説明する。
【００１１】
図１は本考案の第１の実施形態の金属製打音発生装置の使用状態を示す斜視図である。本実施形態の金属製打音発生装置１０は、猫の外郭形状をモチーフとした装置であり、平板状の鉄板若しくはその他の金属板をレーザー加工で切り出した帯状金属片１２と、その帯状金属片１２の猫図形の後頭部に該当する部分に設けられた吊り下げ部として機能する通穴１４を有している。帯状金属片１２は前足に該当する外郭部分に一方の端部１３を有し、そこから胴体及び耳部を有する頭部を形成するように延長され、さらに尻尾の外郭に該当する部分まで延長されて他方の端部１５で終端する。通穴１４には、吊り下げ用の紐１６が該通穴１４を挿通するように配設され、その紐１６は使用に際して使用者が一方の手１１Ｌで把持できる。使用する場合には、通常の楽器トライアングルと同様にビーター１８によって帯状金属片１２の一部を叩くことで打音を発生させる。帯状金属片１２の叩く場所に応じて音色を変えることもでき、概ねビーター１８の打撃強度に応じた大きさの金属音を生じさせることになる。
【００１２】
図２は、本実施形態の金属製打音発生装置１０の構成を示す平面図である。本実施形態の猫の外郭形状をモチーフとした金属製打音発生装置１０は、一方の端部１３から他方の端部１５まで延長される１つの帯状金属片１２を猫の外郭形状となるようにレーザー加工にて切り出したものであり、後頭部に該当する部分に設けられた通穴１４に吊り下げ用の紐を通して使用する玩具であり且つ楽器でもある。ビーターによって帯状金属片１２の一部を叩くことで打音を発生させることができ、特に外郭形状として動物を用いていることから、玩具としての親しみ易さがあり、広い年齢層に商品価値を認めさせることができる。
【００１３】
本実施形態の金属製打音発生装置１０では、猫の外郭形状を得るためにレーザー加工で鉄などの金属板を切り出すとしているが、金属棒を折り曲げて動物などの所定のモチーフの形状を形成することができ、細長いストライプ状の金属材料を曲げて加工することもでき、金属材料としては丸棒などの形状であっても良い。すなわち、本明細書においては、「帯状」とは長く連続する形状を指して広く解される形状であり、必ずしも平板形状のものに限定されずに丸棒を曲げただけの断面円形の金属部分も帯状に含むものとする。本実施形態及び以下の実施形態でも同様であるが、帯状金属片１２は、レーザー加工、折曲加工に限定されず、プレス加工、鍛造や鋳造などの方法でも形成することが可能である。また、加工対象である金属材料も単一の材料であることに限定されず、金属を中心とした複合材料であっても良く、複数の金属は組わせた複合構造とすることもでき、一般的な鉄や青銅などを使用することもでき、ステンレス鋼やその他の合金などを使用することも可能である。
【００１４】
帯状金属片１２に形成される通穴１４は、帯状金属片１２の重心位置の真上に位置するように形成され、図２の猫の外郭形状の帯状金属片１２であれば、猫の前方側と後方側の中間点で吊り下げることができる。帯状金属片１２に形成される通穴１４は帯状金属片１２の重心位置の真上に位置することが好ましいが、多少ずれた場合でも帯状金属片１２が傾斜して吊るされるだけであり、玩具や楽器としての使用に問題が生じるものでもない。以下の実施形態でも帯状金属片と通穴の関係は同様であり、以下の実施形態において重複した記載は省略しているが、同様の位置関係となることは言うまでもない。
【００１５】
図３は第２の実施形態の金属製打音発生装置２０の構成を示す平面図である。本実施形態のハートの外郭形状をモチーフとした金属製打音発生装置２０は、一方の端部２３から他方の端部２５まで延長される１つの帯状金属片２２をハートの外郭形状となるようにレーザー加工にて切り出したものである。ハート外郭の上側中央部に吊り下げ部として機能する通穴２４が形成される。第２の実施形態の金属製打音発生装置２０も玩具であり且つ楽器でもある。ビーターによって帯状金属片２２の一部を叩くことで打音を発生させることができ、特に外郭形状としてハート形状を用いていることから、玩具としての親しみ易さがあり、広い年齢層に商品価値をアピールできる。
【００１６】
図４は第３の実施形態の金属製打音発生装置３０の構成を示す平面図である。本実施形態の鐘の外郭形状をモチーフとした金属製打音発生装置３０は、一方の端部３３から他方の端部３５まで延長される１つの帯状金属片３２を鐘の外郭形状となるようにレーザー加工にて切り出したものである。鐘の外郭を形成するように鐘の下側で１つの帯状金属片３２は金属片３２ａ、３２ｂの２つに分岐しており、鐘外郭の上側中央部に吊り下げ部として機能する通穴３４が形成される。第３の実施形態の金属製打音発生装置３０も玩具であり且つ楽器でもある。ビーターによって帯状金属片３２の一部を叩くことで打音を発生させることができ、特に外郭形状として鐘の形状を用いていることから、玩具としての親しみ易さがあり、広い年齢層に商品価値をアピールできる。
【００１７】
図５は第４の実施形態の金属製打音発生装置４０の構成を示す平面図である。本実施形態の犬のパグの外郭形状をモチーフとした金属製打音発生装置４０は、一方の端部４３から他方の端部４５まで延長される１つの帯状金属片４２をパグの外郭形状となるようにレーザー加工にて切り出したものである。パグの外郭を形成するようにパグの耳と尻尾の部分で１つの帯状金属片４２は金属片４２ａ、４２ｂ、４２ｃが突設加工されており、パグ外郭の中央寄りの耳部に吊り下げ部として機能する通穴４４が形成される。第４の実施形態の金属製打音発生装置４０も玩具であり且つ楽器でもある。ビーターによって帯状金属片４２の一部を叩くことで打音を発生させることができ、特に外郭形状として犬のパグの形状を用いていることから、玩具としての親しみ易さがあり、広い年齢層に商品価値をアピールできる。
【００１８】
図６は第５の実施形態の金属製打音発生装置５０の構成を示す平面図である。本実施形態の楽器のエレキギターの外郭形状をモチーフとした金属製打音発生装置５０は、一方の端部５３から他方の端部５５まで延長される１つの帯状金属片５２をエレキギターの外郭形状となるようにレーザー加工にて切り出したものである。エレキギターの外郭を形成するように１つの帯状金属片５２は柄の部分と、ボディーの部分を有し、エレキギターの外郭の中央寄りの柄の付け根部分に吊り下げ部として機能する通穴５４が形成される。第５の実施形態の金属製打音発生装置５０も玩具であり且つ楽器でもある。ビーターによって帯状金属片５２の一部を叩くことで打音を発生させることができ、特に外郭形状としてエレキギターの形状を用いていることから、玩具としての親しみ易さがあり、広い年齢層に商品価値をアピールできる。
【００１９】
図７は第６の実施形態の金属製打音発生装置６０の構成を示す平面図である。本実施形態の楽器のサックスの外郭形状をモチーフとした金属製打音発生装置６０は、一方の端部６３から他方の端部６５まで延長される１つの帯状金属片６２をサックスの外郭形状となるようにレーザー加工にて切り出したものである。サックスの外郭を形成する１つの帯状金属片６２はサックスの外郭の上側に吊り下げ部として機能する通穴６４が形成される。第６の実施形態の金属製打音発生装置６０も玩具であり且つ楽器でもある。ビーターによって帯状金属片６２の一部を叩くことで打音を発生させることができ、特に外郭形状としてサックスの形状を用いていることから、玩具としての親しみ易さがあり、広い年齢層に商品価値をアピールできる。
【００２０】
図８は第７の実施形態の金属製打音発生装置７０の構成を示す平面図である。本実施形態の楽器のホルンの外郭形状をモチーフとした金属製打音発生装置７０は、一方の端部７３から他方の端部７５まで延長される１つの帯状金属片７２をホルンの外郭形状となるようにレーザー加工にて切り出したものである。ホルンの外郭を形成する１つの帯状金属片７２はホルンの外郭の上側に吊り下げ部として機能する通穴７４が形成される。第７の実施形態の金属製打音発生装置７０も玩具であり且つ楽器でもある。ビーターによって帯７金属片７２の一部を叩くことで打音を発生させることができ、特に外郭形状としてホルンの形状を用いていることから、玩具としての親しみ易さがあり、広い年齢層に商品価値をアピールできる。
【００２１】
図９は第８の実施形態の金属製打音発生装置８０の構成を示す平面図である。本実施形態の楽器のトランペットの外郭形状をモチーフとした金属製打音発生装置８０は、一方の端部８３から他方の端部８５まで延長される１つの帯状金属片８２をトランペットの外郭形状となるようにレーザー加工にて切り出したものである。トランペットの外郭を形成する１つの帯状金属片８２はトランペットの外郭の上側に吊り下げ部として機能する通穴８４がピストン部８２ｂに形成される。帯状金属片８２には、マウスピース部８２ｃとベル部８２ａが設けられる。第８の実施形態の金属製打音発生装置８０も玩具であり且つ楽器でもある。ビーターによって帯状金属片８２の一部を叩くことで打音を発生させることができ、特に外郭形状としてトランペットの形状を用いていることから、玩具としての親しみ易さがあり、広い年齢層に商品価値をアピールできる。
【００２２】
図１０は第９の実施形態の金属製打音発生装置９０の構成を示す平面図である。本実施形態の楽器のトロンボーンの外郭形状をモチーフとした金属製打音発生装置９０は、一方の端部９３から他方の端部９５まで延長される１つの帯状金属片９２をトロンボーンの外郭形状となるようにレーザー加工にて切り出したものである。トロンボーンの外郭を形成する１つの帯状金属片９２はトロンボーンの外郭の上側に吊り下げ部として機能する通穴９４がベル部９２ａに形成される。帯状金属片９２には、支柱部９２ｂも設けられる。第９の実施形態の金属製打音発生装置９０も玩具であり且つ楽器でもある。ビーターによって帯状金属片９２の一部を叩くことで打音を発生させることができ、特に外郭形状としてトロンボーンの形状を用いていることから、玩具としての親しみ易さがあり、広い年齢層に商品価値をアピールできる。
【００２３】
図１１は第１０の実施形態の金属製打音発生装置１００の構成を示す平面図である。本実施形態の犬のチワワの外郭形状をモチーフとした金属製打音発生装置１００は、一方の端部１０３から他方の端部１０５まで延長される１つの帯状金属片１０２をチワワの外郭形状となるようにレーザー加工にて切り出したものである。チワワの外郭を形成するようにチワワの耳と前足の部分で１つの帯状金属片１０２は金属片１０２ａ、１０２ｂが突設加工されており、チワワ外郭の中央寄りの耳部に吊り下げ部として機能する通穴１０４が形成される。第１０の実施形態の金属製打音発生装置１００も玩具であり且つ楽器でもある。ビーターによって帯状金属片１０２の一部を叩くことで打音を発生させることができ、特に外郭形状として犬のチワワの形状を用いていることから、玩具としての親しみ易さがあり、広い年齢層に商品価値をアピールできる。
【００２４】
図１２は第１１の実施形態の金属製打音発生装置１１０の構成を示す平面図である。本実施形態の犬のトイプードルの外郭形状をモチーフとした金属製打音発生装置１１０は、一方の端部１１３から他方の端部１１５まで延長される１つの帯状金属片１１２をトイプードルの外郭形状となるようにレーザー加工にて切り出したものである。トイプードルの外郭を形成する帯状金属片１１２にはトイプードル外郭の中央寄りの耳部に吊り下げ部として機能する通穴１１４が形成される。第１１の実施形態の金属製打音発生装置１１０も玩具であり且つ楽器でもある。ビーターによって帯状金属片１１２の一部を叩くことで打音を発生させることができ、特に外郭形状として犬のトイプードルの形状を用いていることから、玩具としての親しみ易さがあり、広い年齢層に商品価値をアピールできる。
【００２５】
図１３は第１２の実施形態の金属製打音発生装置１２０の構成を示す平面図である。本実施形態のクリスマスツリーの外郭形状をモチーフとした金属製打音発生装置１２０は、一方の端部１２３から他方の端部１２５まで延長される１つの帯状金属片１２２をクリスマスツリーの外郭形状となるようにレーザー加工にて切り出したものである。クリスマスツリー外郭の上側中央部に吊り下げ部として機能する通穴１２４が形成される。第１２の実施形態の金属製打音発生装置１２０も玩具であり且つ楽器でもある。ビーターによって帯状金属片１２２の一部を叩くことで打音を発生させることができ、特に外郭形状としてクリスマスツリー形状を用いていることから、玩具としての親しみ易さがあり、広い年齢層に商品価値をアピールできる。
【００２６】
図１４は第１３の実施形態の金属製打音発生装置１３０の構成を示す平面図である。本実施形態のペンギンの外郭形状をモチーフとした金属製打音発生装置１３０は、一方の端部１３３から他方の端部１３５まで延長される１つの帯状金属片１３２をペンギンの外郭形状となるようにレーザー加工にて切り出したものである。ペンギンの外郭を形成する帯状金属片１３２にはペンギン外郭の頭部に吊り下げ部として機能する通穴１３４が形成される。第１３の実施形態の金属製打音発生装置１３０も玩具であり且つ楽器でもある。ビーターによって帯状金属片１３２の一部を叩くことで打音を発生させることができ、特に外郭形状としてペンギンの形状を用いていることから、玩具としての親しみ易さがあり、広い年齢層に商品価値をアピールできる。
【００２７】
図１５は第１４の実施形態の金属製打音発生装置１４０の構成を示す側面図である。本実施形態の猫の外郭形状をモチーフとした金属製打音発生装置１４０はテーブルベルとして機能する。すなわち、金属製若しくは木製の台座部１４８から支柱部１４６が垂直方向に延長され、さらに上に向かうに従って湾曲され、頂部分には窪み１４７が設けられている。この窪み１４７に吊り下げるための紐１４９が掛けられており、その紐１４９の下端は帯状金属片１４２に形成された通穴１４４を挿通するように構成されている。帯状金属片１４２は猫の外郭形状に沿って延長されており、一方の端部１４３が前足部となり、他方の端部１４５が尻尾部分を構成する。このような構成の金属製打音発生装置１４０は、帯状金属片１４２が通穴１４４に掛けられた紐１４９を介して吊るされており、図示しないビーターによって帯状金属片１４２の一部を叩くことで打音を発生させることができ、特に外郭形状として猫の形状を用いていることから、広い年齢層に商品価値をアピールできる。
【００２８】
図１６は第１５の実施形態の金属製打音発生装置１５０の構成を示す側面図である。本実施形態の金属製打音発生装置１５０は、いわゆるモビールの構成を有しており、猫外郭形状の帯状金属片１５１、１５２とハート外郭形状の帯状金属片１５３が吊り下げ紐１５４、１５５、１５６を介して比較的に剛性の高い２つの棹部１５８、１５７の端部に回転可能に取り付けられている。棹部１５８の一端は棹部１５７の中間部を支持している。棹部１５８の中間部も図示しないその上部から吊るされており、回転可能に支持されている。このような構成の金属製打音発生装置１５０は、モビールとしての緩やかな回転運動を示すことができ、同時に、図示しないビーターによって帯状金属片１５１、１５２、１５３の一部を叩くことで打音を発生させることができ、特に外郭形状として猫やハートの形状を用いていることから、広い年齢層に商品価値をアピールできる。また、本実施形態の金属製打音発生装置１５０は、モビールとしてインテリアの機能を果たすことができ、同時に玩具でもあり、楽器としても機能できる。
【００２９】
図１７は第１６の実施形態の金属製打音発生装置１６０の構成を示す側面図である。本実施形態は、いわゆる風鈴として機能する例であり、外身を構成する猫外郭形状の帯状金属片１６２の中心部に舌となる円形の金属片１６３が紐１６６に吊るされて配置されている。紐１６６のさらに下部には風に揺られる短冊部１６４が設けられ、風が吹いた際には、金属片１６３が猫外郭形状の帯状金属片１６２に当たって所定の音色の打音を発生させる。
【００３０】
図１８は第１７の実施形態の金属製打音発生装置１７０の構成を示す側面図である。本実施形態も、先の実施形態と同様に、いわゆる風鈴として機能する例であり、立体的な矩形に沿った枠体１７３の内部に猫外郭形状の帯状金属片１７２が配置される。この枠体１７３と猫外郭形状の帯状金属片１７２がそれぞれ紐１７６に吊るされており、紐１７６の下端部には短冊１７４が設けられており、風が吹いた際には、猫外郭形状の帯状金属片１７２が矩形に沿った枠体１７３に当たって所定の音色の打音を発生させることができる。これらの実施形態の金属製打音発生装置１６０、１７０は、風鈴と同様にインテリアの機能を果たすことができる。
【００３１】
上述の実施形態は、特にモチーフに関しては例示したものであり、他のモチーフで構成できることは言うまでもない。本考案の帯状金属片は、動物、人、乗り物、食べ物、楽器、記号、道具、建築物、多面体、文字列、標章の中から選択される所定のモチーフを、連続する外郭形状で表現するように加工されるものであっても良い。例えば、販促商品や記念品として製造する場合では、外形形状を記念用のプレートや標章、バーコードと組み合わせる構成や文字の外径で帯状金属片を構成することもできる。さらに前記モチーフにバーコードやサインなどを組み合わせることもできる。また、金属片の一部は木材や紙、ガラス、石材などとすることもでき、これらと金属片の組み合わせを本考案の帯状金属片とすることもできる。帯状金属片を吊り下げるための吊り下げ部は、上述の実施形態では通穴として説明したが、所定の係合機能を有するフックや張り合わせ部材、ファスナー、ボタンなどであっても良い。さらに、帯状金属片の一部を可動式として音色を変化させることも可能である。
【符号の説明】
【００３２】
１０、２０、３０、４０、５０、６０、７０、８０、９０、１００、１１０、１２０、１３０、１４０、１５０、１６０、１７０  金属製打音発生装置
１２、２２、３２、４２、５２、６２、７２、８２、９２、１０２、１１２、１２２、１３２、１４２、１５１、１５２、１５３、１６２、１７２  帯状金属片
１４、２４、３４、４４、５４、６４、７４、８４、９４、１０４、１１４、１２４、１３４、１４４  通穴
１５７、１５８  棹部
１６４、１７４  短冊
【図１】
0003214384.tif 000003
【図２】
0003214384.tif 000004
【図３】
0003214384.tif 000005
【図４】
0003214384.tif 000006
【図５】
0003214384.tif 000007
【図６】
0003214384.tif 000008
【図７】
0003214384.tif 000009
【図８】
0003214384.tif 000010
【図９】
0003214384.tif 000011
【図１０】
0003214384.tif 000012
【図１１】
0003214384.tif 000013
【図１２】
0003214384.tif 000014
【図１３】
0003214384.tif 000015
【図１４】
0003214384.tif 000016
【図１５】
0003214384.tif 000017
【図１６】
0003214384.tif 000018
【図１７】
0003214384.tif 000019
【図１８】
0003214384.tif 000020